(57)【要約】      （修正有）【課題】異なる３波長に対応したサーボ信号を検出するとともに、光学部品の小型化、装置の小型化、低コスト化を実現する光ピックアップを提供する。【解決手段】第１の波長の第１の出射部３１と、第１の波長よりも長い第２の波長の第２の出射部３２と、第２の波長よりも長い第３の波長の第３の出射部３３と、対物レンズ３４，３５と、戻り光を検出する光検出器３６と、戻り光を所定の一方向へ回折する第１の回折領域と、通過する光ビームを所定の他方向へ回折する第２の回折領域とが交互に形成された偏光回折素子５０とを備え、第１及び第２の回折領域で回折された光ビームを受光する各受光部で受光された光ビームの光量に基づいてフォーカスエラー信号を検出し、第１及び第２の回折領域は、第１の波長の光ビームの２次回折光の回折効率が７０％以上であり、第２及び第３の波長の光ビームの１次回折光の回折効率が７０％以上である。【選択図】図２
2008047206.tif 000002
【特許請求の範囲】
【請求項１】
第１の波長の光ビームを出射する第１の出射部と、
上記第１の波長よりも波長が長い第２の波長の光ビームを出射する第２の出射部と、
上記第２の波長よりも波長が長い第３の波長の光ビームを出射する第３の出射部と、
上記第１乃至第３の出射部から出射された第１乃至第３の波長の光ビームを光ディスクの信号記録面に集光する対物レンズと、
上記光ディスクの信号記録面で反射された戻りの光ビームを検出する光検出器と、
上記第１乃至第３の出射部と、上記対物レンズとの間に設けられ、上記戻りの光ビームの光路を上記第１乃至第３の出射部から出射された光ビームの光路から分離して、上記戻りの光ビームを上記光検出器側に導く光路分離手段と、
上記光検出器と、上記光路分離手段との間に設けられ、通過する光ビームを所定の一方向へ回折する第１の回折領域と、通過する光ビームを所定の他方向へ回折する第２の回折領域とが交互に形成された偏光回折素子とを備え、
上記光検出器は、上記第１の回折領域で回折された光ビームを受光する第１の受光部と、上記第２の回折領域で回折された光ビームを受光する第２の受光部とを有し、
上記第１の回折領域で回折された光ビームは、上記第１の受光部の前方側で集光され、上記第２の回折領域で回折された光ビームは、第２の受光部の後方側で集光され、上記第１及び第２の受光部で受光された光ビームの光量に基づいてフォーカスエラー信号を検出し、
上記偏光回折素子は、入射した光ビームが所定の偏光方向であった場合には、光ビームを回折し、入射した光ビームが上記所定の偏光方向に対して直交する偏光方向であった場合には光ビームを透過し、
上記第１及び第２の回折領域は、回折される偏光状態の光ビームの光量に対して、上記第１の波長の光ビームの２次回折光の回折効率が７０％以上であり、上記第２及び第３の波長の光ビームの１次回折光の回折効率が７０％以上である光ピックアップ。
【請求項２】
上記第１及び第２の回折領域には、それぞれブレーズ形状の格子溝が形成されている請求項１記載の光ピックアップ。
【請求項３】
上記第１及び第２の回折領域には、それぞれ階段形状にの格子溝が連続して形成されている請求項１記載の光ピックアップ。
【請求項４】
光ディスクに対して情報を記録及び／又は再生する光ピックアップと、上記光ディスクを回転するディスク回転駆動手段とを備える光ディスク装置において、
上記光ピックアップは、第１の波長の光ビームを出射する第１の出射部と、
上記第１の波長よりも波長が長い第２の波長の光ビームを出射する第２の出射部と、
上記第２の波長よりも波長が長い第３の波長の光ビームを出射する第３の出射部と、
上記第１乃至第３の出射部から出射された第１乃至第３の波長の光ビームを光ディスクの信号記録面に集光する対物レンズと、
上記光ディスクの信号記録面で反射された戻りの光ビームを検出する光検出器と、
上記第１乃至第３の出射部と、上記対物レンズとの間に設けられ、上記戻りの光ビームの光路を上記第１乃至第３の出射部から出射された光ビームの光路から分離して、上記戻りの光ビームを上記光検出器側に導く光路分離手段と、
上記光検出器と、上記光路分離手段との間に設けられ、通過する光ビームを所定の一方向へ回折する第１の回折領域と、通過する光ビームを所定の他方向へ回折する第２の回折領域とが交互に形成された偏光回折素子とを備え、
上記光検出器は、上記第１の回折領域で回折された光ビームを受光する第１の受光部と、上記第２の回折領域で回折された光ビームを受光する第２の受光部とを有し、
上記第１の回折領域で回折された光ビームは、上記第１の受光部の前方側で集光され、上記第２の回折領域で回折された光ビームは、第２の受光部の後方側で集光され、上記第１及び第２の受光部で受光された光ビームの光量に基づいてフォーカスエラー信号を検出し、
上記偏光回折素子は、入射した光ビームが所定の偏光方向であった場合には、光ビームを回折し、入射した光ビームが上記所定の偏光方向に対して直交する偏光方向であった場合には光ビームを透過し、
上記第１及び第２の回折領域は、回折される偏光状態の光ビームの光量に対して、上記第１の波長の光ビームの２次回折光の回折効率が７０％以上であり、上記第２及び第３の波長の光ビームの１次回折光の回折効率が７０％以上である光ディスク装置。
【発明の詳細な説明】
【技術分野】
【０００１】
本発明は、光ディスクに情報信号の記録を行い、光ディスクに記録された情報信号の再生を行うために用いられる光ピックアップ及びこれを用いた光ディスク装置に関する。
【背景技術】
【０００２】
従来、情報信号の記録媒体として、ＣＤ（Compact Disc）、ＤＶＤ(Digital Versatile Disc)等の光ディスクや、さらに高密度記録を可能とするため青紫色半導体レーザ等による波長４０５ｎｍ程度の光ビームを用いて信号の記録再生を行う光ディスク（以下、「高密度記録光ディスク」という。）が用いられ、この種の光ディスクに情報信号の記録を行い、あるいは光ディスクに記録された情報信号の再生を行うために光ピックアップが用いられている。
【０００３】
このような光ピックアップにおいて光ディスクの所定のトラック上に対物レンズにより光ビームのスポットを集光するために、フォーカス制御とトラッキング制御を行う必要がある。フォーカス制御をするためのフォーカスエラー信号を検出するために、従来から非点収差法、スポットサイズ法、フーコー法等が提案されている。ここで、非点収差法は、受光素子上のスポットの位置がずれると、フォーカスエラー信号にトラッキングエラー信号が漏れ込む等の問題がある。また、フーコー法では、受光素子上のスポットが小さく、受光素子の位置ずれに対する許容が小さく信頼性上の問題がある。
【０００４】
一方、スポットサイズ法では、プリズムや、回折素子で回折角が波長に比例することから、使用波長が比較的短い高密度記録光ディスクと、使用波長が比較的長いＣＤ等の従来の光ディスクとの受光パターンを共通にするためには受光素子のサイズが大きくなりすぎるという問題や、回折効率の波長依存が大きく、従来のステップ型の回折素子では複数の光ディスクのフォーマットに対応した全ての波長に対する性能（回折効率）を成立させることが困難であるという問題があった。
【０００５】
【特許文献１】特開２００２−２６０２５１号公報
【発明の開示】
【発明が解決しようとする課題】
【０００６】
本発明の目的は、異なる３波長に対応したフォーカスエラー信号を良好に検出することができるとともに、光学部品の小型化、装置の小型化、低コスト化を実現する光ピックアップ及びこれを用いた光ディスク装置を提供することにある。
【課題を解決するための手段】
【０００７】
この目的を達成するため、本発明に係る光ピックアップは、第１の波長の光ビームを出射する第１の出射部と、上記第１の波長よりも波長が長い第２の波長の光ビームを出射する第２の出射部と、上記第２の波長よりも波長が長い第３の波長の光ビームを出射する第３の出射部と、上記第１乃至第３の出射部から出射された第１乃至第３の波長の光ビームを光ディスクの信号記録面に集光する対物レンズと、上記光ディスクの信号記録面で反射された戻りの光ビームを検出する光検出器と、上記第１乃至第３の出射部と、上記対物レンズとの間に設けられ、上記戻りの光ビームの光路を上記第１乃至第３の出射部から出射された光ビームの光路から分離して、上記戻りの光ビームを上記光検出器側に導く光路分離手段と、上記光検出器と、上記光路分離手段との間に設けられ、通過する光ビームを所定の一方向へ回折する第１の回折領域と、通過する光ビームを所定の他方向へ回折する第２の回折領域とが交互に形成された偏光回折素子とを備え、上記光検出器は、上記第１の回折領域で回折された光ビームを受光する第１の受光部と、上記第２の回折領域で回折された光ビームを受光する第２の受光部とを有し、上記第１の回折領域で回折された光ビームは、上記第１の受光部の前方側で集光され、上記第２の回折領域で回折された光ビームは、第２の受光部の後方側で集光され、上記第１及び第２の受光部で受光された光ビームの光量に基づいてフォーカスエラー信号を検出し、上記偏光回折素子は、入射した光ビームが所定の偏光方向であった場合には、光ビームを回折し、入射した光ビームが上記所定の偏光方向に対して直交する偏光方向であった場合には光ビームを透過し、上記第１及び第２の回折領域は、回折される偏光状態の光ビームの光量に対して、上記第１の波長の光ビームの２次回折光の回折効率が７０％以上であり、上記第２及び第３の波長の光ビームの１次回折光の回折効率が７０％以上である。
【０００８】
上述したような目的を達成するため、本発明に係る光ディスク装置は、光ディスクに対して情報を記録及び／又は再生する光ピックアップと、光ディスクを回転するディスク回転駆動手段とを備える光ディスク装置であり、この光ディスク装置に用いる光ピックアップとして、上述したようなものを用いたものである。
【発明の効果】
【０００９】
本発明に係る光ピックアップ及びこれを用いた光ディスク装置は、異なる３波長に対応したフォーカスエラー信号を良好に検出することができるとともに、光学部品の小型化、装置の小型化、低コスト化を実現する。
【発明を実施するための最良の形態】
【００１０】
以下、本発明を適用した光ディスク装置について、図面を参照して説明する。
【００１１】
この光ディスク装置１０は、フォーマットの異なる２種類の光ディスク１１に対して情報信号の記録及び／又は再生を行うことができる光ディスク装置である。
【００１２】
ここで用いられる光ディスク１１は、例えばＣＤ(Compact Disc）、ＤＶＤ（Digital Versatile Disc）、情報の追記が可能とされるＣＤ−Ｒ（Recordable）及びＤＶＤ−Ｒ（Recordable）、情報の書換えが可能とされるＣＤ−ＲＷ（ReWritable）、ＤＶＤ−ＲＷ（ReWritable）、ＤＶＤ＋ＲＷ（ReWritable）、ＤＶＤ−ＲＡＭ（Random Access Memory）等の光ディスクや、さらに発光波長が短い４０５ｎｍ程度（青紫色）の半導体レーザを用いた高密度記録が可能な高密度記録光ディスクや、光磁気ディスク等である。
【００１３】
特に、以下で光ディスク装置１０により情報の再生又は記録を行う３種類の光ディスクとして、保護基板の厚さが０．１ｍｍで波長４０５ｎｍ程度の光ビームを記録再生光として使用する高密度記録が可能な第１の光ディスク４と、保護基板の厚さが０．６ｍｍで波長６５５ｎｍ程度の光ビームを記録再生光として使用するＤＶＤ等の第２の光ディスク５と、保護基板の厚さが１．２ｍｍで波長７８５ｎｍ程度の光ビームを記録再生光として使用するＣＤ等の第３の光ディスク６とを用いるものとして説明する。
【００１４】
光ディスク装置１０は、図１に示すように、光ディスク１１を回転操作する駆動手段としてスピンドルモータ１２と、スピンドルモータ１２を制御するモータ制御回路１３と、スピンドルモータ１２により回転される光ディスク１１に光ビームを照射し光ディスク１１で反射した戻りの光ビームを検出する光ピックアップ１と、光ピックアップ１から出力された電気信号を増幅するＲＦアンプ１５と、対物レンズのフォーカスサーボ信号やトラッキングサーボ信号を生成するサーボ回路１６と、サブコードデータを抽出するサブコード抽出回路１７とを備える。
【００１５】
また、この光ディスク装置１０は、記録系として、パーソナルコンピュータ等のホスト機器に接続され、記録すべきデータが入力される入力端子１８と、入力端子１８に入力された記録データに対してエラー訂正符号化処理を施すエラー訂正符号化回路１９と、エラー訂正符号化処理が施されたデータを変調する変調回路２０と、変調された記録データに対して記録処理を施す記録処理回路２１とを備える。
【００１６】
更に、光ディスク装置１０は、再生系として、光ディスク１１より読み出した再生データに対して復調する復調回路２２と、復調された再生データに対してエラー訂正復号処理を施すエラー訂正復号化回路２３と、エラー訂正復号処理されたデータを出力する出力端子２４とを備える。更に、光ディスク装置１０は、装置に対して操作信号を入力する操作部２５と、各種制御データ等を格納するメモリ２６と、全体の動作を制御する制御回路２７と、光ディスク１１の種類を判別するディスク種類判別部２９とを備える。更に、光ディスク装置１０は、光ピックアップ１をディスクテーブルに装着された光ディスク１１の径方向に送り操作する際の駆動源となるスレッドモータ２８とを備える。
【００１７】
スピンドルモータ１２は、スピンドルに光ディスク１１が装着されるディスクテーブルが設けられており、ディスクテーブルに装着されている光ディスク１１を回転する。モータ制御回路１３は、光ディスクをＣＬＶ（Constant Linear Velocity）で回転することができるようにスピンドルモータ１２を駆動制御する。具体的に、モータ制御回路１３は、水晶発振器からの基準クロックとＰＬＬ回路からのクロックとに基づいて光ディスク１１の回転速度が線速一定となるようにスピンドルモータ１２を駆動制御する。なお、光ディスク１１は、ＣＡＶ（Constant Angular Velocity）やＣＬＶとＣＡＶとを組み合わせた制御で回転するようにしてもよい。
【００１８】
光ピックアップ１は、装着された光ディスク１１の種類に応じた波長を出射する、例えば３波長互換光学系を有する光ピックアップであり、規格の異なる光ディスクの信号記録面に対して上述した異なる波長の光ビームを出射する半導体レーザ等の光源と、この光源より出射された光ビームを集束する光ディスク１１の種類に対応した開口数の対物レンズ、光ディスク１１で反射された戻りの光ビームを検出する光検出器等を備える。光ピックアップ１は、半導体レーザよりレーザ光である光ビームを出射する。光ピックアップ１は、記録再生時、光ディスク１１に光ビームを照射し、信号記録面で反射した戻りの光ビームを光検出器で検出し、光電変換する。また、対物レンズは、２軸アクチュエータ等の対物レンズ駆動機構に保持され、フォーカスサーボ信号に基づいて対物レンズの光軸と平行なフォーカス方向に駆動変位され、また、トラッキングサーボ信号に基づいて対物レンズの光軸に直交するトラッキング方向に駆動変位される。なお、半導体レーザ、対物レンズ及び光検出器等の光学系の構成については後に詳述する。
【００１９】
ＲＦアンプ１５は、光ピックアップ１を構成する光検出器からの電気信号に基づいて、ＲＦ信号、フォーカスエラー信号及びトラッキングエラー信号を生成する。例えばフォーカスエラー信号は、非点収差法により生成され、トラッキングエラー信号は、３ビーム法やプッシュプル法により生成される。そして、ＲＦアンプ１５は、再生時、ＲＦ信号を復調回路２２に出力し、フォーカスエラー信号及びトラッキングエラー信号をサーボ回路１６に出力する。
【００２０】
サーボ回路１６は、光ディスク１１を再生する際のサーボ信号を生成する。具体的に、サーボ回路１６は、ＲＦアンプ１５から入力されたフォーカスエラー信号に基づき、このフォーカスエラー信号が０となるように、フォーカスサーボ信号を生成し、また、ＲＦアンプ１５から入力されたトラッキングエラー信号に基づき、このトラッキングエラー信号が０となるように、トラッキングサーボ信号を生成する。そして、サーボ回路１６は、フォーカスサーボ信号及びトラッキングサーボ信号を光ピックアップ１を構成する対物レンズ駆動機構の駆動回路に出力する。この駆動回路は、フォーカスサーボ信号に基づき２軸アクチュエータを駆動し、後述する対物レンズ３４，３５を対物レンズの光軸と平行なフォーカス方向に駆動変位させ、トラッキングサーボ信号に基づき２軸アクチュエータを駆動し、対物レンズの光軸に直交するトラッキング方向に対物レンズを駆動変位させる。
【００２１】
以上のように構成された光ディスク装置１０は、スピンドルモータ１２によって、光ディスク１１を回転操作し、サーボ回路１６からの制御信号に応じてスレッドモータ２８を駆動制御し、光ピックアップ１を光ディスク１１の所望の記録トラックに対応する位置に移動することで、光ディスク１１に対して情報の記録再生を行う。
【００２２】
次に、本発明が適用された上述した光ピックアップ１について説明する。
【００２３】
本発明を適用した光ピックアップ１は、図２に示すように、第１の波長の第１の光ビームを出射する半導体レーザ等の第１の光源部３１と、第１の波長よりも波長が長い第２の波長の第２の光ビームを出射する半導体レーザ等の第２の光源部３２と、第２の波長よりも波長が長い第３の波長の第３の光ビームを出射する半導体レーザ等の第３の光源部３３と、この第１乃至第３の光源部３１，３２，３３から出射された第１の光ビームを第１の光ディスク４の信号記録面に集光させる第１の対物レンズ３４と、第２及び第３の光ビームをそれぞれ第２の光ディスク５、第３の光ディスク６の信号記録面に集光させる第２の対物レンズ３５と、第１乃至第３の光ディスクの信号記録面で反射された戻りの光ビームを検出するフォトディテクタ等の光検出器３６とを備える。
【００２４】
また、光ピックアップ１は、第２及び第３の光源部３２，３３から出射された往路の第２及び第３の波長の光ビームの光路を合成する光路合成手段として第１のダイクロプリズム３７と、第１のダイクロプリズム３７で合成された往路の第２及び第３の波長の光ビームを反射して対物レンズ３５側に出射させるとともに、光ディスク１１で反射された戻りの光ビーム、すなわち復路の第１乃至第３の波長の光ビームの光路を往路の第２及び第３の波長の光ビームの光路と分離する光路分離手段としての偏光ビームスプリッタ３８と、偏光ビームスプリッタ３８で反射された往路の第２及び第３の波長の光ビームの光路と、第１の光源部３１から出射された往路の第１の波長の光ビームの光路とを合成するとともに、光ディスク１１で反射された復路の第１乃至第３の波長の光ビームの光路を往路の第１の波長の光ビームの光路と分離する光路合成分離手段としてのダイクロ偏光ビームスプリッタ（以下「ダイクロＰＢＳ」ともいう。）３９と、ダイクロＰＢＳ３９と第１及び第２の対物レンズ３４，３５との間に設けられ、入射した第１の波長の光ビームの光路と、入射した第２及び第３の波長の光ビームの光路とを分離して、第１の波長の光ビームを第１の対物レンズ３４側に導くとともに、第２及び第３の波長の光ビームを第２の対物レンズ３５側に導く第２のダイクロプリズム４１と、ダイクロＰＢＳ３９と第２のダイクロプリズム４１との間に設けられ、ダイクロＰＢＳ３９で光路が合成されて入射した第１乃至第３の波長の光ビームの発散角を変換し、平行光とするコリメータレンズ４２とを備える。
【００２５】
第２のダイクロプリズム４１と第１の対物レンズ３４との間には、第２のダイクロプリズム４１を透過した第１の波長の光ビームを反射する立ち上げミラー４３と、第１の波長の光ビームに１／４波長の位相を与えて偏光状態を変換する１／４波長板（ＱＷＰ）４４とが設けられている。
【００２６】
第２のダイクロプリズム４１と第２の対物レンズ３５との間には、第２のダイクロプリズム４１で反射された第２及び第３の波長の光ビームに１／４波長の位相を与えて偏光状態を変換する１／４波長板（ＱＷＰ）４５とが設けられている。
【００２７】
また、第１の光源部３１とダイクロＰＢＳ３９との間には、第１の光源部３１から出射された第１の波長の光ビームをトラッキングエラー信号等を得るために、０次光及び±１次光からなる３ビームに分割する第１のグレーティング４６が設けられている。第２の光源部３２と第１のダイクロプリズム３７との間には、第２の光源部３２から出射された第２の波長の光ビームをトラッキングエラー信号等を得るために、０次光及び±１次光からなる３ビームに分割する第２のグレーティング４７が設けられている。第３の光源部３３と第１のダイクロプリズム３７との間には、第３の光源部３３から出射された第３の波長の光ビームをトラッキングエラー信号等を得るために、０次光及び±１次光からなる３ビームに分割する第３のグレーティング４８が設けられている。
【００２８】
また、光ピックアップ１は、偏光ビームスプリッタ３８と光検出器３６との間に、戻りの光ビームの発散角を変換する倍率変換レンズ４９と、フォーカスエラー信号を検出するために光ビームを偏光状態に応じて所定の割合で透過及び回折する偏光回折素子５０とを有する。
【００２９】
第１の光源部３１は、第１の出射部を有し、この第１の出射部から第１の光ディスク４に対して波長４０５ｎｍ程度の第１の波長の光ビームを出射する。第２の光源部３２は、第２の出射部を有し、この第２の出射部から第２の光ディスク５に対して波長６５５ｎｍ程度の第２の波長の光ビームを出射する。第３の光源部３３は、第３の出射部を有し、この第３の出射部から第３の光ディスク６に対して波長７８５ｎｍ程度の第３の波長の光ビームを出射する。
【００３０】
尚、光ピックアップ１では、異なる位置に配置された第１乃至第３の光源部３１，３２，３３の各出射部からそれぞれ出射された第１乃至第３の波長の光ビームを用いるように構成したが、これに限られるものではなく、第１乃至第３の出射部は、同一の光源部に配置するように構成してもよく、また、第１乃至第３の出射部のうち２つの出射部を一の光源部に配置し、残りの出射部を他の光源部に配置するように構成してもよい。
【００３１】
第１乃至第３のグレーティング４６，４７，４８は、それぞれ、入射した光ビームを主に０次光（以下、「メインビーム」ともいう。）及び±１次光（以下、「サイドビーム」ともいう。）からなる複数の光ビームに分割して出射する。この第１乃至第３のグレーティング４６，４７，４８により、分割されたメインビーム及びサイドビームからなる３ビームにより、トラッキングエラー信号を得ることができる。
【００３２】
第１のダイクロプリズム３７は、通過する光ビームのうち、第２の波長の光ビームを反射させ、第３の波長の光ビームを透過させる波長依存性を有する光学薄膜が形成された分離面３７ａを有し、この分離面３７ａにより第２及び第３の光源部３２，３３から出射された第２及び第３の波長の光ビームの光路を合成して偏光ビームスプリッタ３８に向けて出射させる。
【００３３】
偏光ビームスプリッタ３８は、通過する光ビームのうち、Ｐ偏光状態とされた光ビームの略全光量を透過させ、Ｓ偏光状態とされた光ビームの略全光量を反射させるような偏光依存性を有する光学薄膜が形成された分離面３８ａを有し、この分離面３８ａにより往路の第２及び第３の波長の光ビームを反射してダイクロＰＢＳ３９に導くとともに、復路の第１乃至第３の波長の光ビームを透過して往路の第２及び第３の波長の光ビームの光路と分離して倍率変換レンズ４９に導く。
【００３４】
尚、ここでは、偏光ビームスプリッタ３８は、Ｐ偏光状態の光ビームを透過させ、Ｓ偏光状態の光ビームを反射させるように構成したが、これに限られるものではなく、例えば、Ｐ偏光状態の光ビームを反射させ、Ｓ偏光状態の光ビームを透過させるように構成してもよい。
【００３５】
ダイクロＰＢＳ３９は、Ｐ偏光状態とされた第１の波長の光ビームを透過させ、Ｓ偏光状態とされた第１の波長の光ビームを反射させるとともに、いずれの偏光状態の第２及び第３の波長の光ビームを透過させる偏光依存性及び波長依存性を兼ね備えた光学薄膜が形成された分離面３９ａを有する。ダイクロＰＢＳ３９は、この分離面３９ａにより往路の第１の波長の光ビームを反射し、往路の第２及び第３の波長の光ビームを透過してこれらの光路を合成してコリメータレンズ４２に導くとともに、復路の第１乃至第３の波長の光ビームを透過して往路の第１の波長の光ビームの光路と分離して偏光ビームスプリッタ３８に導く。
【００３６】
コリメータレンズ４２は、ダイクロＰＢＳ３９で光路が合成された第１乃至第３の波長の光ビームの発散角を変換して略平行光として第２のダイクロプリズム４１側に出射させる。
【００３７】
第２のダイクロプリズム４１は、入射した光ビームのうち、第２及び第３の波長の光ビームを反射させ、第１の波長の光ビームを透過させる波長依存性を有する光学薄膜が形成された分離面４１ａを有し、この分離面４１ａにより往路の第２及び第３の波長の光ビームの光路と、往路の第１の波長の光ビームの光路とを分離して、第２及び第３の波長の光ビームを１／４波長板４５を介して第２の対物レンズ３５に導き、第１の波長の光ビームを立ち上げミラー４３及び１／４波長板４４を介して第１の対物レンズ３４に導く。また、第２のダイクロプリズム４１は、この分離面４１ａにより、復路の第２及び第３の波長の光ビームの光路と、復路の第１の波長の光ビームの光路とを合成してコリメータレンズ４２側に出射させる。
【００３８】
１／４波長板４４は、第２のダイクロプリズム４１を透過して立ち上げミラー４３で反射されて入射した第１の波長の光ビームに１／４波長の位相差を与える、すなわち、入射した往路の光ビームを直線偏光（Ｓ偏光状態）から円偏光に変換し、光ディスクで反射された復路の光ビームを円偏光から直線偏光（Ｐ偏光状態）に変換する。
【００３９】
１／４波長板４５は、第２のダイクロプリズム４１を反射されて入射した第２及び第３の波長の光ビームに１／４波長の位相差を与える、すなわち、入射した往路の光ビームを直線偏光（Ｓ偏光状態）から円偏光に変換し、光ディスクで反射された復路の光ビームを円偏光から直線偏光（Ｐ偏光状態）に変換する。
【００４０】
第１の対物レンズ３４は、第１の波長の光ビームに対応したものであり、開口数は、０．８５程度とされている。第１の対物レンズ３４は、第１の光ディスク４に対して、第１の波長の光ビームを信号記録面４ａ上に集光する。
【００４１】
また、第１の対物レンズ３４の入射側には、第１の対物レンズ３４に入射する光ビームの開口制限を行う開口制限素子として図示しない第１の開口フィルタが設けられている。この第１の開口フィルタは、通過する第１の波長の光ビームの開口数を０．８５程度とする。この開口フィルタとして、例えば、ホログラム等が用いられる。
【００４２】
第２の対物レンズ３５は、第２及び第３の波長の光ビームに対応したものであり、開口数は、第２の波長に対しては、０．６〜０．６５であり、第３の波長に対しては、０．４５〜０．５とされている。第２の対物レンズ３５は、第２の光ディスク５に対して、第２の波長の光ビームを信号記録面５ａ上に集光し、第３の光ディスク６に対して、第３の波長の光ビームを信号記録面６ａ上に集光する。
【００４３】
また、第２の対物レンズ３５の入射側には、第２の対物レンズ３５に入射する光ビームの開口制限を行う開口制限素子として図示しない第２の開口フィルタが設けられている。この第２の開口フィルタは、通過する第２の波長の光ビームの開口数を０．６〜０．６５程度とし、通過する第３の波長の光ビームの開口数を０．４５〜０．５とする。この開口フィルタとして、例えば、ホログラム等が用いられる。
【００４４】
第１及び第２の対物レンズ３４，３５は、２軸アクチュエータ等の対物レンズ駆動機構によって移動自在に支持されている。そして、第１及び第２の対物レンズ３４，３５は、光検出器３６によって検出されたトラッキングエラー信号及びフォーカスエラー信号に基づいて、対物レンズ駆動機構により移動操作されることにより、光ディスク１１に近接離間する方向及び光ディスクの径方向の２軸方向等へ移動される。
【００４５】
また、第１及び第２の対物レンズ３４，３５は、その第１の対物レンズ３４の第１の波長に対する焦点距離ｆ１及び開口数ＮＡ１、並びに第２の対物レンズ３５の第２及び第３の波長に対する焦点距離ｆ２，ｆ３及び開口数ＮＡ２，ＮＡ３の関係が、関係式ｆｎ×ＮＡｎ（ｎ＝１，２，３とする）が略一定、すなわち、この各波長の関係式（ｆｎ×ＮＡｎ）で示される値の差が２割以内となるように焦点距離が決定されている。
【００４６】
換言すると、第１及び第２の対物レンズ３４，３５から出射される復路の第１乃至第３の波長の光ビームのビーム径がそれぞれ略同じ大きさとされ、第１及び第２の対物レンズ３４，３５に入射される往路の第１乃至第３の波長の光ビームの有効径がそれぞれ略同じ大きさとされる。このような第１及び第２の対物レンズ３４，３５は、各波長の光路における光学部品の小型化を可能とするとともに、後述する偏光回折素子５０に入射する復路の第１乃至第３の波長の光ビームのビーム径を略同じ大きさとし、さらに、この偏光回折素子５０により回折、透過される光ビームを検出する光検出器３６の各受光部の大きさを小さくすることができる。
【００４７】
また、この光ピックアップ１では、第１の波長用の第１の対物レンズ３４と、第２及び第３の波長用の第２の対物レンズ３５とを設けるように構成したが、これに限られるものではなく、光ディスクの種類に対応した第１乃至第３の波長の光ビームを対応する光ディスクの信号記録面に集光する一又は複数の対物レンズを設けるように構成すればよく、例えば、第１乃至第３の波長に対応した単一の対物レンズを設けるように構成してもよい。
【００４８】
倍率変換レンズ４９は、第２のダイクロプリズム４１で光路を合成され、コリメータレンズ４２、ダイクロＰＢＳ３９及び偏光ビームスプリッタ３８を経由して入射される復路の第１乃至第３の波長の光ビームの発散角を変換して、所定の発散角（集束角）でこの光ビームを偏光回折素子５０を介して光検出器３６の各受光部上に集束させる。
【００４９】
偏光回折素子５０は、図３に示すように、入射される復路の第１乃至第３の波長の光ビームを光ディスク１１の半径方向に対応する所定の方向Ｘｒ１の一方向に回折する第１の回折領域５０ａと、この第１乃至第３の波長の光ビームを所定の方向Ｘｒ１の一方向と反対方向である他方向に回折する第２の回折領域５０ｂとが交互に複数形成されている。ここで、光ディスク１１の半径方向に対応する所定の方向Ｘｒ１とは、光ディスク１１の信号記録面上で光ビームのスポットが半径方向に移動した場合に、偏光回折素子５０上で光ビームが通過する領域が移動する方向及び後述するディテクタ上の光ビームのスポットが移動する方向をいう。この第１の回折領域５０ａ及び第２の回折領域５０ｂは、例えば、回折方向に短辺が位置し、回折方向と直交する方向に長辺が位置する細長い矩形状に形成され、すなわち格子状に形成されており、第１及び第２の回折領域５０ａ，５０ｂの総面積が略等しくなるように形成されるとともに、それぞれの領域を通過する光ビームの総面積が略等しくなるように形成されている。
【００５０】
複数の第１の回折領域５０ａには、それぞれの領域内にブレーズ形状の格子が形成されている。すなわち、第１の回折領域５０ａは、その領域内に、その長辺方向に形成されたブレーズ状の格子溝が短辺方向に並んで複数形成され、このブレーズ状の格子溝の溝深さ及びブレーズ角により、図４に示すように、第１の波長の光ビームの２次回折光を第４の受光部５４の手前で集光するように回折し、第２及び第３の波長の光ビームの１次回折光を第４の受光部５４の手前で集光するように回折する。
【００５１】
また、複数の第２の回折領域５０ｂは、それぞれの領域内に、第１の回折領域５０ａのブレーズ形状と反対方向に傾斜したブレーズ形状の格子が形成されている。すなわち、第２の回折領域５０ｂは、その領域内に、その長辺方向に形成されたブレーズ状の格子溝が短辺方向に並んで複数形成され、このブレーズ状の格子溝の溝深さ及びブレーズ角により、図４に示すように、第１の波長の光ビームの２次回折光を第５の受光部５５の奥側で集光するように回折し、第２及び第３の波長の光ビームの１次回折光を第５の受光部５５の奥側で集光するように回折する。尚、ここでは、第１及び第２の回折領域５０ａ，５０ｂの格子構造をブレーズ形状としたが、１ピッチ内に複数段の階段形状とされた格子溝を複数形成するように構成してもよい。
【００５２】
この第１及び第２の回折領域５０ａ，５０ｂは、それぞれのブレーズ角により回折パワー、すなわち、回折角度が異なる。そして、例えば上述したように、第１の回折領域５０ａは、その回折光を偏光回折素子５０と第４の受光部５４との間、すなわち、偏光回折素子５０に対して第４の受光部５４の前方側で焦点を結ぶように回折し、第２の回折領域５０ｂは、その回折光を偏光回折素子５０に対して第５の受光部５５の後方側で焦点を結ぶように回折する。偏光回折素子５０は、後述のスポットサイズ法によるフォーカスエラー信号を得るために、入射した戻りの光ビームをこの第１及び第２の回折領域５０ａ，５０ｂにより回折して所定の受光部５４，５５に向けて出射させる。
【００５３】
また、偏光回折素子５０の第１及び第２の回折領域５０ａ，５０ｂは、上述したように回折方向は異なるが、それぞれ、入射する光ビームの偏光状態の変化によって回折効率が変化する。すなわち、例えば、偏光回折素子５０の第１及び第２の回折領域５０ａ，５０ｂは、所定の偏光方向の光ビームに対しては上述のような回折格子として機能し、所定の偏光方向と直交する偏光方向の光ビームに対しては回折格子として機能せず、透過させることとなる。換言すると、偏光回折素子５０は、入射した光ビームのうち所定の偏光方向成分の光ビームを回折し、所定の偏光方向に対して直交する偏光方向成分の光ビームを透過する。そして、この偏光回折素子５０により光ビームが回折される方向である所定の偏光方向と、この偏光回折素子５０に入射する光ビームの偏光方向との間の角度をθとすると、偏光回折素子５０に入射した光ビームのうち（ｃｏｓθ）２で表される割合の光ビームが回折されることとなる。
【００５４】
また、第１及び第２の回折領域５０ａ，５０ｂは、上述したブレーズ形状の溝深さにより、第１の波長に対しては、所定の偏光状態とされ、すなわち回折される偏光状態の光ビームの光量に対して７０％以上の２次回折光が得られ、第２及び第３の波長に対しては、所定の偏光状態とされ、すなわち回折される偏光状態の光ビームの７０％以上の１次回折光が得られる。ここで、回折される偏光状態の光ビームの光量に対する上述の割合は、回折される偏光成分における入射光量に対する出射光量の割合である。換言すると、第１及び第２の回折領域５０ａ，５０ｂは、１００％回折される偏光状態で光ビームが入射した場合に、第１乃至第３の波長の上述した次数の回折光の回折効率が７０％以上である。
【００５５】
上述したブレーズ形状の格子溝が形成された第１及び第２の回折領域５０ａ，５０ｂのブレーズの溝深さの変化に伴う回折効率の変化を図５に示す。図５中において、横軸は、光路長差に変換した溝深さ（ｎｍ）を示す。また、図５中において、各曲線は、回折される偏光成分における入射光量と出射光量の割合、すなわち、回折効率を示すものであり、曲線Ｌ１０、Ｌ１１、Ｌ１２は、それぞれ波長４０５ｎｍ（第１の波長）の光ビームの０次回折光、１次回折光、２次回折光を示すものであり、曲線Ｌ２０、Ｌ２１、Ｌ２２は、それぞれ波長６５５ｎｍ（第２の波長）の光ビームの０次回折光、１次回折光、２次回折光を示すものであり、曲線Ｌ３０、Ｌ３１、Ｌ３２は、それぞれ波長７８５ｎｍ（第３の波長）の光ビームの０次回折光、１次回折光、２次回折光を示すものである。図５に示すように、偏光回折素子５０は、その第１及び第２の回折領域５０ａ，５０ｂに形成されたブレーズの溝深さを７００ｎｍ〜８００ｎｍ程度の範囲において、第１の波長の２次回折光、並びに第２及び第３の波長の１次回折光の回折効率を７０％以上として回折することができる。
【００５６】
偏光回折素子５０は、第１の波長と、第２及び第３の波長とで異なる次数の回折光を用いる構成から、いずれの波長の場合にも後述する第４及び第５の受光部５４，５５の略同じ位置に集光させることができる。すなわち、一般的に、回折素子により異なる波長の光ビームを回折した場合には、回折角度が波長に比例する関係にあり、例えば、波長の短い第１の波長の光ビームに対して、波長の長い第２及び第３の波長の光ビームは拡がる方向に回折してしまい、この回折光の受光部での位置に差異が発生してしまうため受光部の大きさを大きくする必要がある。これに対し、この偏光回折素子５０では、異なる次数の回折光を用いる構成から、第４及び第５の受光部５４，５５の大きさを小さくすることができる。
【００５７】
光検出器３６は、図６に示すように、第１乃至第３のグレーティング４６，４７，４８により３ビームに分割され偏光回折素子５０を透過した光ビームをそれぞれ受光する第１乃至第３の受光部５１，５２，５３と、第１乃至第３のグレーティング４６，４７，４８により３ビームに分割されたうち０次光であるメインビームが偏光回折素子５０により回折された光ビームをそれぞれ受光する第４及び第５の受光部５４，５５とを有する。
【００５８】
第１の受光部５１は、各グレーティング４６，４７，４８で回折された複数の光ビームのうち、メインビームで且つ偏光回折素子５０を透過した光ビームを受光するフォトディテクタであり、互いに直交する一組の分割線によって略４等分割された各受光領域Ａ，Ｂ，Ｃ，Ｄを有している。
【００５９】
第２及び第３の受光部５２，５３は、各グレーティング４６，４７，４８で回折された複数の光ビームのうち、±１次光である２つのサイドビームで且つ偏光回折素子５０を透過した光ビームをそれぞれ受光する一組のフォトディテクタであり、それぞれ、光ディスク１１の半径方向に対応する方向Ｘｒ２に直交する方向の分割線によって略２等分割された各受光領域Ｅ１，Ｆ１及び各受光領域Ｅ２，Ｆ２を有している。尚、第２及び第３の受光部５２，５３は、第１の受光部５１に対して、光ディスク１１の半径方向に対応する方向Ｘｒ２に直交する方向の一方及び他方に離間して配置されている。
【００６０】
第４の受光部５４は、各グレーティング４６，４７，４８で回折されたメインビームで且つ偏光回折素子５０の第１の回折領域５０ａで回折された光ビームを受光するフォトディテクタであり、光ディスク１１の半径方向に対応する方向Ｘｒ２に略平行な２本の分割線によって３分割された各受光領域Ｇ１，Ｈ１，Ｊ１を有している。第５の受光部５５は、各グレーティングで回折されたメインビームで且つ偏光回折素子５０の第２の回折領域５０ｂで回折された光ビームを受光するフォトディテクタであり、光ディスク１１の半径方向に対応する方向Ｘｒ２に略平行な２本の分割線によって３分割された各受光領域Ｇ２，Ｈ２，Ｊ２を有している。尚、第４及び第５の受光部５４，５５は、第１の受光部５１に対して、光ディスク１１の半径方向に対応する方向Ｘｒ２の一方及び他方に離間して配置されている。
【００６１】
光検出器３６は、第１乃至第５の受光部５１〜５５の各受光領域Ａ〜Ｄ，Ｅ１，Ｅ２，Ｆ１，Ｆ２，Ｇ１〜Ｊ１，Ｇ２〜Ｊ２からの出力をそれぞれ、ＳＡ，ＳＢ，ＳＣ，ＳＤ，ＳＥ１，ＳＥ２，ＳＦ１，ＳＦ２，ＳＧ１，ＳＨ１，ＳＪ１，ＳＧ２，ＳＨ２，ＳＪ２として、これを用いて情報信号とともにフォーカスエラー信号、トラッキングエラー信号等の各種信号を得ることができる。
【００６２】
具体的に、光ピックアップ１によるフォーカスエラー信号の生成には、上述した第１及び第２の回折領域５０ａ，５０ｂで回折された光ビームをそれぞれ第４及び第５の受光部５４，５５で受光した光ビームの光量によりスポットサイズ（ＳＳＤ）法を用いて検出する。このスポットサイズ法によるフォーカスエラー信号ＦＥは、次式（１）により得られる。
ＦＥ＝（ＳＧ１＋ＳＪ１＋ＳＨ２）−（ＳＧ２＋ＳＪ２＋ＳＨ１）・・・（１）
【００６３】
また、光ピックアップ１によるトラッキングエラー信号の生成には、差分位相検出（ＤＰＤ（differential phase detection））法と、差動プッシュプル（ＤＰＰ（differential push-pull））法とを選択的に使用して検出する。このＤＰＤ法によるトラッキングエラー信号ＴＥ１は、次式（２）により得られ、ＤＰＰ法によるトラッキングエラー信号ＴＥ２は、次式（３）により得られる。尚、式（２）において、Ｐｈａｓｅ（Ａ＋Ｃ）は、各受光領域Ａ，Ｃで検出された位相を足し合わせた位相であり、Ｐｈａｓｅ（Ｂ＋Ｄ）は、各受光領域Ｂ，Ｄで検出された位相を足し合わせた位相である。また、式（３）において、ｋは、オフセット成分を取り除くように決定される値である。
ＴＥ１＝Ｐｈａｓｅ（Ａ＋Ｃ）−Ｐｈａｓｅ（Ｂ＋Ｄ）・・・（２）
ＴＥ２＝｛（ＳＡ＋ＳＤ）−（ＳＢ＋ＳＣ）｝−ｋ｛（ＳＥ１−ＳＦ１）＋（ＳＥ２−ＳＦ２）｝  ・・・（３）
【００６４】
以上のように構成された光ピックアップ１は、光検出器３６により検出された戻り光により生成されたフォーカスエラー信号、トラッキングエラー信号に基づいて、第１又は第２の対物レンズ３４，３５を駆動して、フォーカスサーボ及びトラッキングサーボを行う。第１又は第２の対物レンズ３４，３５が駆動されることにより、光ディスク１１の記録面に対して対物レンズ合焦位置に移動されて、光ビームが光ディスク１１の記録面上に合焦されて、光ディスク１１に対して情報の記録又は再生を行う。
【００６５】
次に、この光ピックアップ１における、第１乃至第３の光源部３１，３２，３３から出射された光ビームの光路について、図２を用いて説明する。まず、第１の光ディスク４に対して出射される第１の波長の光ビームの光路について説明する。
【００６６】
光ディスク１１が第１の光ディスク４であることを判別したディスク種類判別部２９からの信号に基づいて、第１の光源部３１は、第１の波長の光ビームを出射させる。
【００６７】
第１の光源部３１から出射された第１の波長の光ビームは、第１のグレーティング４６でメインビーム及びサイドビームからなる複数の光ビームに分割され、ダイクロＰＢＳ３９で反射され、コリメータレンズ４２により略平行光とされ、第２のダイクロプリズム４１を透過して、立ち上げミラー４３で反射され、１／４波長板４４で円偏光状態とされ、第１の対物レンズ３４により第１の光ディスク４の信号記録面上に集光される。
【００６８】
第１の光ディスク４に集光された光ビームは、信号記録面で反射され、１／４波長板４４、立ち上げミラー４３、第２のダイクロプリズム４１及びコリメータレンズ４２を経由して、ダイクロＰＢＳ３９及び偏光ビームスプリッタ３８を透過され、倍率変換レンズ４９により発散角を変換されて偏光回折素子５０に入射される。
【００６９】
偏光回折素子５０に入射した第１の波長の光ビームのメインビームは、その偏光状態及び回折効率に応じてその一部が所定の割合で、第１の回折領域５０ａに入射した光ビームが第４の受光部５４側に回折され、第２の回折領域５０ｂに入射した光ビームが第５の受光部５５側に回折される。また、偏光回折素子５０に入射した第１の波長の光ビームのメインビームは、その偏光状態に応じて残りの一部が所定の割合で透過して、第１の受光部５１に集光される。また、偏光回折素子５０に入射した第１の波長の光ビームのサイドビームは、その偏光状態に応じて所定の割合で透過して、第２及び第３の受光部５２，５３に集光される。
【００７０】
次に、第２の光ディスク５に対して出射される第２の波長の光ビームの光路について説明する。
【００７１】
光ディスク１１が第２の光ディスク５であることを判別したディスク種類判別部２９からの信号に基づいて、第２の光源部３２は、第２の波長の光ビームを出射させる。
【００７２】
第２の光源部３２から出射された第２の波長の光ビームは、第２のグレーティング４７で複数の光ビームに分割され、第１のダイクロプリズム３７で反射され、偏光ビームスプリッタ３８で反射され、ダイクロＰＢＳ３９を透過して、コリメータレンズ４２により略平行光とされ、第２のダイクロプリズム４１で反射され、１／４波長板４５で円偏光状態とされ、第２の対物レンズ３５により第２の光ディスク５の信号記録面上に集光される。
【００７３】
第２の光ディスク５に集光された光ビームは、信号記録面で反射され、１／４波長板４５、第２のダイクロプリズム４１及びコリメータレンズ４２を経由して、ダイクロＰＢＳ３９に入射される。復路の第２の波長の光ビームのダイクロＰＢＳ３９に入射した以降の光路は、上述した復路の第１の波長の光ビームと同様であるので詳細な説明は省略する。
【００７４】
さらに、第３の光ディスク６に対して出射される第３の波長の光ビームの光路は、第３の光源部３３から出射され、第３のグレーティング４８で複数の光ビームで分割され、第１のダイクロプリズム３７を透過して偏光ビームスプリッタ３８に入射することを除いて、上述した第２の波長の光ビームの光路と同様であるので詳細な説明は省略する。
【００７５】
以上のように、光ピックアップ１は、第１乃至第３の波長の光ビームを複数種類の光ディスク４，５，６の信号記録面にそれぞれ適切に集光して、その復路の第１乃至第３の波長の光ビームの一部を偏光回折素子５０を透過させて第１の受光部５１で検出することで情報信号の検出をすることができる。また、光ピックアップ１は、復路の第１乃至第３の波長の光ビームの光路に設けられた共通の偏光回折素子５０の第１及び第２の回折領域５０ａ，５０ｂにより回折された回折光をそれぞれ共通の第４及び第５の受光部５４，５５で受光してスポットサイズ法を用いてフォーカスエラー信号を検出することができる。また、光ピックアップ１は、各グレーティング４６，４７，４８で３ビームが生成された第１乃至第３の波長の光ビームを光ディスクの信号記録面に集光して、その復路の光ビームの一部を偏光回折素子５０を透過させて共通の第１乃至第３の受光部５１，５２，５３で受光してＤＰＤ法又はＤＰＰ法によりトラッキングエラー信号を検出することができる。このように、光ピックアップ１は、光学部品を共通として複数種類の光ディスクに対して、フォーカスエラー信号及びトラッキングエラー信号等のサーボ信号を検出して良好な記録及び再生を実現し、３波長互換を実現する。
【００７６】
また、光ピックアップ１は、特にスポットサイズ法によるフォーカスエラー信号検出のために、偏光回折素子５０の第１及び第２の回折領域５０ａ，５０ｂは、第１の波長の光ビームの２次回折光の回折効率が７０％以上であり、第２及び第３の波長の光ビームの１次回折光の回折効率が７０％以上であり、この第１の波長と、第２及び第３の波長とで、異なる次数の回折光を用いることにより、偏光回折素子５０の各波長の回折光を略同じ位置に集光することができ、受光部５４，５５の大きさを小型化することができ、共通の偏光回折素子５０で回折された光ビームを共通の受光部５４，５５で検出して良好なフォーカスエラー信号の検出を可能とするとともにこの受光部５４，５５の小型化も実現する。
【００７７】
よって、本発明を適用した光ピックアップ１は、異なる３波長に対応したサーボ信号を検出することができるとともに、光学部品の小型化、装置の小型化、低コスト化を実現する。
【００７８】
また、光ピックアップ１は、第１乃至第２の対物レンズ３４，３５から出射される復路の第１乃至第３の波長の光ビームのビーム径が略同じ大きさとされており、すなわち、偏光回折素子５０に入射する復路の第１乃至第３の波長の光ビームのビーム径が略同じ大きさとされていることから、第４及び第５の受光部５４，５５のさらなる小型化を実現し、さらに、第１乃至第３の受光部５１，５２，５３の小型化を実現するとともに、往路及び復路における光学部品の小型化も実現して、装置の小型化、低コスト化を実現する。
【００７９】
本発明を適用した光ピックアップを用いた光ディスク装置１０は、上述した光ピックアップ１を備え、光ピックアップの光学部品、光路を共通化した状態で、異なる３波長に対応して良好なサーボ信号を検出することができることにより、光ディスクに対して情報信号の良好な記録及び／又は再生を行うことを可能とし、さらに、光学部品の小型化、装置の小型化、低コスト化を実現する。
【図面の簡単な説明】
【００８０】
【図１】本発明を適用した光ピックアップを用いた光ディスク装置のブロック回路図である。
【図２】本発明を適用した光ピックアップの光学系を説明する光路図である。
【図３】本発明を適用した光ピックアップを構成する偏光回折素子の平面図である。
【図４】本発明を適用した光ピックアップを構成する偏光回折素子により回折される光ビームについて説明する図であり、偏光回折素子及び光検出器の側面図である。
【図５】本発明を適用した光ピックアップを構成する偏光回折素子の溝深さの変化に伴う各波長の光ビームの各回折次数の回折効率の変化を示す図である。
【図６】本発明を適用した光ピックアップを構成する光検出器の各受光部を示す平面図である。
【符号の説明】
【００８１】
１  光ピックアップ、  １０  光ディスク装置、  １１  光ディスク、  １２  スピンドルモータ、  ２７  制御部、  ２９  ディスク種類判別部、  ３１  第１の光源部、  ３２  第２の光源部、  ３３  第３の光源部、  ３４  第１の対物レンズ、  ３５  第２の対物レンズ、  ３６  光検出器、  ４２  コリメータレンズ、  ４４，４５  １／４波長板、  ４６  第１のグレーティング、  ４７  第２のグレーティング、  ４８  第３のグレーティング、  ５０  偏光回折素子、  ５０ａ  第１の回折領域、  ５０ｂ  第２の回折領域、  ５１  第１の受光部、  ５２  第２の受光部、  ５３  第３の受光部、  ５４  第４の受光部、  ５５  第５の受光部
【図１】
2008047206.tif 000003
【図２】
2008047206.tif 000004
【図３】
2008047206.tif 000005
【図４】
2008047206.tif 000006
【図５】
2008047206.tif 000007
【図６】
2008047206.tif 000008